(57)【要約】【課題】フットボールゲーム面上でボールをキックできるばね負荷式脚をもつボールキッカートイフィギュア、さらに、ボールを置き、玩具のばね負荷式脚がボールを所望の軌道で蹴りだすことができる複数の凹部を有するスタンドを併用したボールキッカートイフィギュアを提供する。【解決手段】本体；本体から延設し、ゲーム面上で本体の支持体として作用する固定脚；本体から延設し、非負荷位置と負荷位置との間で回動するピボット脚；および本体およびピボット脚を押圧し、ピボット脚を非負荷位置から負荷位置に動かしたときに、ピボット脚を負荷位置から非負荷位置の方にバイアスするばねを有するボールキッカートイフィギュアである。【選択図】図１
2006204879.tif 000002
【特許請求の範囲】
【請求項１】
本体、
本体から延設し、ゲーム面上で本体の支持体として作用する固定脚、
本体から延設し、非負荷位置と負荷位置との間で回動するピボット脚、および
本体およびピボット脚を押圧し、ピボット脚を非負荷位置から負荷位置に動かしたときに、ピボット脚を負荷位置から非負荷位置の方にバイアスするばねを有することを特徴とするトイフィギュア。
【請求項２】
さらに、それぞれ非負荷位置および負荷位置を越えるピボット脚の動きを制限する回動制限ストッパーを有する請求項１記載のトイフィギュア。
【請求項３】
上記固定脚が、底面にピボットピン係合開口をもつ足を有する請求項１記載のトイフィギュア。
【請求項４】
上向きに延設され、開口に係合し、ボールキッカーを回動自在に支持するピボットピンを有するスタンドであって、このピボットピンから半径方向に設けた複数のボール受け取り凹部を有するスタンドを併用する請求項３記載のトイフィギュア。
【請求項５】
ボールを受け取る各凹部をピボットピンから異なる半径で設けた請求項４記載のトイフィギュア。
【請求項６】
ボールを受け取る各凹部をピボットピンから異なる角度で設けた請求項４記載のトイフィギュア。
【請求項７】
さらに、上記凹部の一つにボールを支持した請求項４記載のトイフィギュア。
【発明の詳細な説明】
【技術分野】
【０００１】
本発明は、ボールキッカートイフィギュアに関する。また、本発明は、限定するものではないが、具体的には、負荷を解除することによってフットボールゲーム面上でボールをキックできるばね負荷式脚をもつボールキッカートイフィギュアに関する。
【発明の開示】
【発明が解決しようとする課題】
【０００２】
本発明の目的は、フットボールゲーム面上でボールをキックできるばね負荷式脚をもつボールキッカートイフィギュアを提供することである。さらに、本発明の別な目的は、ボールを置き、玩具のばね負荷式脚がボールを所望の軌道で蹴りだすことができる複数の凹部を有するスタンドを併用したボールキッカートイフィギュアを提供することである。
【課題を解決するための手段】
【０００３】
即ち、本発明は、
本体、
本体から延設し、ゲーム面上で本体の支持体として作用する固定脚、
本体から延設し、非負荷位置と負荷位置との間で回動するピボット脚、および
本体およびピボット脚を押圧し、ピボット脚を非負荷位置から負荷位置に動かしたときに、ピボット脚を負荷位置から非負荷位置の方にバイアスするばねを有するトイフィギュアを提供するものである。
【０００４】
さらに、それぞれ非負荷位置および負荷位置を越えるピボット脚の動きを制限する回動制限ストッパーを有することが好ましい。
【０００５】
上記固定脚が、底面にピボットピン係合開口をもつ足を有することが好ましい。
【０００６】
上向きに延設され、開口に係合し、ボールキッカーを回動自在に支持するピボットピンを有するスタンドであって、このピボットピンから半径方向に設けた複数のボール受け取る凹部を有するスタンドを併用することが好ましい。
【０００７】
ボールを受け取る各凹部をピボットピンから異なる半径で設けることが好ましい。
【０００８】
ボールを受け取る各凹部をピボットピンから異なる角度で設けることが好ましい。
【０００９】
さらに、上記凹部の一つにボールを支持することが好ましい。
【発明を実施するための最良の形態】
【００１０】
本発明の好適な実施態様を例示のみを目的として添付図面について説明する。まず、図１〜図１２について説明する。図１〜図１２に概略示した人形（ボールキッカー）１０は例えばフットボールのゴールキッカーであり、本体１１、固定脚１２およびピボット/キック脚１３を有する。固定脚１２は、図１〜図７に示すように平坦なベース１４に取り付けることができる。あるいは、図９〜図１２に示すように、凹部を形成したベース１５に取り付けることができる。
【００１１】
ピボット脚１３のピン１６の周囲にコイルばね１７を設ける。ばね１７およびピン１６と連動するストッパー１８が、本体１１内に形成した当接体１９に係合し、ピボット脚１３がばね１７の張力に逆らって後方に引っ張られる範囲を制限する。さらに、別な当接体２０を本体１１内に形成し、図４および図７に示す姿勢で、ストッパー１８がこの当接体２０に係合し、使用時に、ピボット脚１３の蹴りだし位置を制限する。
【００１２】
スタンド１５は、複数の凹部２１およびピボットピン２５を有する。これら凹部２１（図１４参照）は浅い凹部で、半径はボール２２とほぼ同じである。固定脚１２の足２３の底面開口２４にピン２５を挿入し、ゴールキッカー１０を強くではあるが、回動できるように支持する。即ち、ゴールキッカーは、キック脚１３が各凹部２１に整合し、従って凹部の一つに選択的においたときにボール２２が所望の軌道で蹴りだされるように配置できる。図１５〜図１８に、ボールを凹部２１のそれぞれに置いたときのキック脚１３の足とボール２２との整合状態を示す。
【００１３】
図２１に示す第２のトイフィギュアは、ゴールキーパー２６である。ゴールキーパーの一対の固定脚をベースプレート２８のピン２７に取り付け、このプレートからハンドル２９を延設し、このハンドルの後縁部に直立グリップ３０を設ける。
【００１４】
ハンドル２９の一対の直立タブ３２間に横スロット３１を設け、このスロット３１内にゴールネット３４の縁部３３を係合する。
【００１５】
このゴールネット３４は、一対の側部３５および後部３６を有する。各側部３５の下端３７は、使用時、平坦なゲーム面に位置する。（後部３６の中間部の底縁部である）縁部３３を平坦なゲーム面から上に引き離し、ハンドル２９を挿入するスペースを形成する。
【００１６】
ゲーム時、ゴールキッカーで遊ぶ子供が、凹部の一つにボールを置き、ばね１７の張力に逆らってキック脚１３を後方に引く。キック脚を蹴りだすと、ばねがキック脚１３を前方に動かし、ボール２２がゴールネット３４に向かって飛んでいく。ゴールキーパーで遊ぶ子供がグリップ３０をつかみ、ゴールネットに対してゴールキーパーを左右に動かすと、ボールをブロックできる。
【００１７】
当業者にとって自明な改変、変更などはいずれも本発明の範囲内に含まれる。例えば、使用時、上記の別な当接体２０を使用しない場合には、キック脚をフォロースルーできる。
【図面の簡単な説明】
【００１８】
【図１】スタンドに取り付けた状態のゴールキッカーの概略正面図である。
【図２】スタンドから取りはずした状態のゴールキッカーの概略正面図である。
【図３】図１に示したゴールキッカーの概略背面図である。
【図４】キックする脚が負荷解放状態にある、図１のゴールキッカーの概略側面図である。
【図５】キックする脚がばね負荷解放前の状態にある、図４のゴールキッカーの概略側面図である。
【図６】図５の状態にある、内部ばね/ピボット制限ストッパーを示す概略正面図である。
【図７】図４の状態にある、内部ばね/ピボット制限ストッパーを示す概略正面図である。
【図８】内部ばねの概略図である。
【図９】複数のボール受け取り凹部を形成したスタンドの各位置にボールが存在している状態におけるゴールキッカーの概略斜視図である。
【図１０】複数のボール受け取り凹部を形成したスタンドの各位置にボールが存在している状態におけるゴールキッカーの概略斜視図である。
【図１１】複数のボール受け取り凹部を形成したスタンドの各位置にボールが存在している状態におけるゴールキッカーの概略斜視図である。
【図１２】ゴールキッカーを外した状態の、図９〜１１に示したスタンドの概略斜視図である。
【図１３】図１２に示したスタンドの概略平面図である。
【図１４】図１３のスタンドおよびこの上にあるボールを示す概略正面図である。
【図１５】図１３のスタンドを示す概略平面図で、ゴールキッカーおよびスタンドの異なる受け取り凹部にあるボールを示す図である。
【図１６】図１３のスタンドを示す概略平面図で、ゴールキッカーおよびスタンドの異なる受け取り凹部にあるボールを示す図である。
【図１７】図１３のスタンドを示す概略平面図で、ゴールキッカーおよびスタンドの異なる受け取り凹部にあるボールを示す図である。
【図１８】図１３のスタンドを示す概略平面図で、ゴールキッカーおよびスタンドの異なる受け取り凹部にあるボールを示す図である。
【図１９】ゴールネットおよびゴールキーパー用スタンドを示す図で、このゴールネットをスタンドのハンドルから取り外した状態を示す概略斜視図である。
【図２０】図１９のゴールネットおよびスタンドを示す図で、ゴールネットの底部縁部をスタンドのハンドルに形成したスロットに係合した状態を示す概略斜視図である。
【図２１】使用状態にある図１９および図２０の玩具要素を示す図で、ゴールキーパーをスタンドに取り付けた状態を示す概略斜視図である。
【符号の説明】
【００１９】
１０：ボールキッカー、
１１：本体、
１２：固定脚、
１３：キック脚、
１４：平坦ベース、
１５：凹部形成ベース、
１６：ピン、
１７：コイルばね、
１８：ストッパー、
１９：当接体、
２０：当接体、
２１：凹部、
２２：ボール、
２３：足、
２４：開口、
２５：ピン、
２６：ゴールキーパー、
２７：ピン、
２８：ベースプレート、
２９：ハンドル、
３０：グリップ、
３１：スロット、
３２：タブ、
３４：ゴールネット。
【図１】
2006204879.tif 000003
【図２】
2006204879.tif 000004
【図３】
2006204879.tif 000005
【図４】
2006204879.tif 000006
【図５】
2006204879.tif 000007
【図６】
2006204879.tif 000008
【図７】
2006204879.tif 000009
【図８】
2006204879.tif 000010
【図９】
2006204879.tif 000011
【図１０】
2006204879.tif 000012
【図１１】
2006204879.tif 000013
【図１２】
2006204879.tif 000014
【図１３】
2006204879.tif 000015
【図１４】
2006204879.tif 000016
【図１５】
2006204879.tif 000017
【図１６】
2006204879.tif 000018
【図１７】
2006204879.tif 000019
【図１８】
2006204879.tif 000020
【図１９】
2006204879.tif 000021
【図２０】
2006204879.tif 000022
【図２１】
2006204879.tif 000023